(57)【要約】      （修正有）【課題】大手住宅メーカーやゼネコン等で開発された転がり支承、滑り支承、積層ゴム支承等の既製免震装置を既存木造家屋に使用し、非耐震家屋を耐震補強する事なく耐震技術最先端の免震装置付住宅にすることにより、安価で工期も短く、リホーム工事との相乗効果の大きい工法を提供する。【解決手段】滑り支障１６に免震装置固定ネコ６と大引２３または土台２２固定用ネコやフレーム５を設けた上部アダプターと、滑り支障１７に基礎固定用ネコと免震装置固定用ネコを設けた下部アダプターと、免震装置固定用ネコとベースプレートを設けたサポート１１で構成し、上下アダプター間に市販の既成免震装置１５ａを挿入し、大引きの下部を集成材等で補強して土台２２と大引き２３の上面に構造用合板を貼り剛床とする。【選択図】図１１
2009281127.tif 000002
【特許請求の範囲】
【請求項１】
滑り支障に大引または土台用固定フレームと免震装置固定ネコを設けた上部アダプター（図１参照）
【請求項２】
滑り支障に基礎固定用ネコと免震装置固定用ネコを設けた下部アダプター（図６参照）
【請求項３】
請求項１及び２の上下アダプターに拠る免震装置用アダプター（図１０参照）
【請求項４】
請求項１及び２の上下アダプターに拠る滑り支障型免震装置（図１９参照）
【請求項５】
既製免震装置をセットした請求項３免震装置用アダブター及び４の滑り支障型免震装置等の滑り支障部位を土台と基礎の隙間に挿入して土台と基礎に固定した免震装置用アダプター工法（図１１〜１６及び図２０参照）
【発明の詳細な説明】
【技術分野】
【０００１】本発明は木造住宅等の建築物に設置する免震装置付住宅に関するものである。
【背景技術】
【０００２】地震大国日本の免震装置付住宅は、兵庫県南部地震以降に大手住宅メーカーやゼネコン等で新築時に設置する免震装置付住宅を開発して販売され始めたが、免震装置を一番必要としている既設木造家屋２，４５０万戸の内、非耐震既設木造住宅１，１１５万戸は、耐力壁と柱や梁等を、金物で補強する付け刃の耐力壁補修に依る耐震工事または、立て替え工事を余儀なくされている。【０００３】わが国は大地震国にも関わらず既存家屋用の免震装置の開発は、開発が難しく経済的に採算が合わないために、既存家屋用免震装置と既存家屋用免震工法の開発が進んでいないのが現状で安価な既存家屋用免震装置の開発が急がれている。【０００４】現在既存家屋に免震装置を設置するには、高層建築等と同じ工法で既存建築の、１、既存家屋の基礎から土台を切り離し  ２、既存家屋をジャッキアップし  ３、新たに既存家屋の下部に、免震装置用の基礎を設置して、これに  ４、免震装置をセットし、この上に  ５、構台を設け、これにジャッキアップした既存家屋の土台を、構台に固定する方法がある。【０００５】小規模の建築用免震装置は１９２４年特許となった鬼頭健三郎氏の皿型盤と球体による建築物耐震装置が有り今日でも小規模の建築用免震装置にはこれを応用した免震装置が多数使用されている。【０００６】戸建住宅用免震装置は皿型盤と球体の転がし工法や、滑り工法、積層ゴム工法の装置が主流である。【０００７】土台と基礎の隙間挿入型滑り免震装置としては、緒方賢次郎の  特開２００７−３０９０７７の既設木造住宅免震工法や特願２００７−１５９５３３の免震装置用アダプターがある
【発明の開示】
【発明が解決しようとする課題】
【０００８】従来の既存家屋に免震装置等を設置する工法には下記の様な欠点があった【０００９】１．新築用免震工事は建築基準法の基準が厳しく開発費用と工期がかさむ【００１０】２．既存家屋の基礎と土台を切り離なし土台固定用の架台を設けなければならない【００１１】３．既存家屋の基礎から土台を切り離した既存家屋を免震装置や架台を設置できる高さまで既存家屋をジャッキ等によりジャッキアップしなければならない【００１２】４．既存家屋に免震装置用の基礎を新たに設けなければならない【００１３】５．既存家屋の免震装置設置工事は１階部分の家具等を移転させ施主も仮住まいしなければならない【００１４】６．緒方賢次郎  特開２００７−３０９０７７の既設木造住宅免震工法には市販の既製免震装置が設置できないし土台や大引固定部の固定度が低く、滑り支承の摩擦係数の調整ができない
【課題を解決するための手段】
【００１５】以上のような課題を解決するためにこの発明の既存家屋用免震アダプターは，大手住宅メーカーやゼネコン等で開発された免震装置を既存家屋に使用する工法の部品で１．滑り支障に免震装置固定ネコと大引または土台固定用ネコやフレームを設けた上部アダブターと２．滑り支障に基礎固定用ネコと免震装置固定用ネコを設けた下部アダブターと３．免震装置固定用ネコとベースプレートを設けたサポートで構成する、本発明の既存家屋免震装置用アダブターに４．市販既製免震装置をセットし５．既存家屋の基礎と土台の隙間に既存家屋用免震アダプターの滑り支障部位を挿入してボルトやラグスクリューで基礎と土台や大引に既存家屋用免震アダプターを固定し、全床下の床束を徹去して大引の下部を集成材等で補強して土台と大引きの上面に構造用合板を貼り剛床にする工法。【００１６】１．上部アダプターは
１．上部滑り支障に免震装置固定ネコと土台または大引及びフレーム固定用ネコを設ける。【００１７】２．上部滑り支障の下部面には下部滑り支障と直交方向にエッジを設け、各ネコには固定ボルト用ルーズ穴をあけておく【００１８】３．フレームには、免震装置固定ネコを設け更に、滑り支障及び土台や大引固定用のネコを設置しておく、  尚ネコには固定ボルト用ルーズ穴をあけておく【００１９】２．下部アダプターは
１．下部滑り支障に免震装置固定用ネコと基礎固定用ネコを設ける。【００２０】２．滑り支障の上部面には上部滑り支障と直交方向にエッジを設け、ネコには固定ボルト用ルーズ穴をあけておく【００２１】３．サポートは
１．支柱の上部に免震装置固定ネコを下部にベースプレートを設置する。【００２２】２．免震装置固定ネコには免震装置固定用ボルト穴をあけておく【００２３】３．ベースプレートには基礎や基盤用固定ボルト穴をあけておく【００２４】４．支柱は高さを調整できる機能をもたせておく【００２５】４．滑り支承型免震装置
１．上部滑り支障に土台または大引固定用ネコを設ける。【００２６】２．上部滑り支障の下部面には下部滑り支障と直交方向にエッジを設け、ネコには固定ボルト用ルーズ穴をあけておく【００２７】３．下部滑り支障に基礎固定用ネコを設ける。【００２８】４．下部滑り支障の上部面には上部滑り支障と直交方向にエッジを設け、ネコには固定ボルト用ルーズ穴をあけておく【００２９】本発明の免震装置用アダプター施工方法は下記の要領で施工する【００３０】１．既存家屋の構造チェックにより免震装置設置位置と個数を算出し、免震装置設置位置の基礎上端と土台隙間の均しモルタル又は土台敷パッキンを撤去する。【００３１】２．免震装置設置位置の既存基礎に下部アダプター及びポスト固定ボルト用アンカーホールを設ける。【００３２】３．既製免震装置下部支承に、サポートを固定し此れを、本発明の免震装置用下部アダプターにセットし、滑り支障部位を既存基礎上端に設置して基礎に設けたアンカーホールにボルトで固定する。【００３３】４．既存家屋設置箇所土台に、既製免震装置上部支承をセットした本発明の免震装置用アダプターの上部滑り支障部位を土台にラグスクリューで固定し、フレームを大引または土台にラグスクリューで固定する。【００３４】５．既存家屋全ての既設基礎上端の敷きモルタル又は土台敷パッキンを撤去する。【００３５】６．既存家屋の既存基礎上端と、土台間の全てのアンカーボルトを切断する。【００３６】７．既存家屋に、本発明の免震装置用アダプターに依る免震装置を設置していない柱の下部土台と基礎の隙間に本発明の滑り支承型免新装置の上下支承滑り面どうしを接する様に、基礎と土台にボルトとラグスクリューで固定して、全床下の床束を徹去して大引きの下部を集成材等で補強して土台と大引きの上面に構造用合板を貼り剛床にして免震効果を発現させる。
【発明の効果】
【００３７】本発明の免震装置用アダプターは大手住宅メーカーやゼネコンで開発済みの、転がり支承、滑り支承、積層ゴム支承等の既製の免震装置を使用できる。【００３８】本発明の免震装置用アダプターは非耐震既設家屋を、耐震補強工事を施工することなく、免震装置付き住宅に出来る。【００３９】本発明の免震装置用アダプターは既設基礎上端と土台のすきまに上下支承挿入工法で施工出来るので、既設家屋のジャッキアップが不要。【００４０】既存家屋のジャッキアップが不要だから、既存家屋の部分施工が出来、ユーザーは仮住まいなしで施工できる。【００４１】本発明の免震装置用アダプターは上部滑り支承のフレーム部位で土台や大引を固定できるので上部支承と土台や大引との固定度が高い。【００４２】家屋静止時は免震装置用アダプターの上下支承で家屋の鉛直荷重を基礎に伝達するので既設基礎の補強が不要【００４３】本発明の免震装置用アダプターの滑り支障および滑り支障型免震装置は上下支承の滑り面のエッジで滑り係数の調整ができる【００４４】本発明の免震装置用アダプターは上部支承と下部支承等の構造が簡単で滑り面のエッジ加工とネコのプレート等の溶接等で製造でき高度の技術が不要だから安価に製造できる【００４５】本発明の免震装置用アダプターは既設基礎や土台にボルト類で固定できる構造だから、施工が簡単で、施工費が安価。【００４６】本発明の免震装置用アダプターを新設住宅にも低価格で設置できる。
【発明を実施するための最良の形態】
【００４７】本発明の免震装置用アダプター工法は【００４８】１．既存家屋の構造チェックにより免震装置設置位置と個数を算出し、既存家屋免震装置設置箇所の基礎上端と土台隙間の均しモルタル又は土台パッキンを撤去する【００４９】２．既存家屋免震装置設置箇所の既存基礎に下部アダプター及びサポート固定用アンカーホールを基礎とそのスラブ部位に設ける。【００５０】３．下部免震装置用アダプターとサポートに既製免震装置下部支障をセットして滑り部位を既存基礎上端に設置し基礎に設けたアンカーホールにボルトで固定して更にサポートのベースプレートも基礎スラブのアンカーホールにボルトで固定する。【００５１】４．上部免震装置用アダプターに既製免震装置上部支承をセットとして既存家屋設置箇所土台に、滑り支障部位を土台にラグスクリュー等で固定し、フレームを大引または土台にラグスクリュー等で固定する。【００５２】５．既存家屋全ての基礎上端の、敷きモルタル又は敷きパッキンを撤去する。【００５３】６．既存家屋全ての基礎上端と、土台間のアンカーボルトを切断する。【００５４】７．既存家屋に、本発明の免震装置用アダプターに依る免震装置を設置していない柱の下部土台と基礎の隙間に本発明の滑り支障型免震装置の上下支承を滑り面どうしが接する様に、基礎と土台にボルトやラグスクリューで固定して、全床下の床束を徹去して大引きの下部を集成材等で補強して土台と大引きの上面に構造用合板を貼り剛床にして地震時に免震効果を発現させる。
【実施例１】
【００５５】上部滑り支障４の下部面にエッジ４ｂを加工し，側面に土台または大引固定用穴４ａをあけたネコ４ｄを設け、更に既製免震装置固定用穴６ａをあけた免震装置固定用ネコ６を設置し、端部に土台または大引固定用ネコ５ｂにラグスクリュー用穴５ａをあけたフレーム５を設置した本発明の免震装置用アダプター１の上部アダブター２（図１〜５参照）
【実施例２】
【００５６】下部滑り支障７の上面に、上部滑り支障２のエッジ４ｂと交差方向にエッジ７ａを加工し、側面に基礎固定用ボルト８ａあけた基礎固定ネコ８設け、更に免震装置固定用ボルト穴９ａあけた免震装置固定用ネコ９を設置した本発明の免震装置用アダブター１の下部免震装置用アダブター３（図６〜９参照）及びサポート１１の下部平面図（図９ａ）
【実施例３】
【００５７】上部アダブター２および下部アダブター３による本発明の、免震装置用アダブター１（図１０参照）【００５８】高さ調整可能な支柱１０の上部に免震装置固定用ボルト穴１２ａをあけた免震装置固定ネコ１２を設置し支柱１０の下部に、基礎固定用ボルト穴１３ａをあけたベースプレート１３を設置した本発明の免震装置用アダブター１のサポート１１（図６，９，９ａ参照）
【実施例４】
【００５９】本発明の上部免震装置用アダプター２の既製免震装置固定用ネコ６に既製免震装置上部支承１６を固定し、本発明の下部免震装置用アダプター３の免震装置固定用ネコ９とサポート１１に既設免震装置下部支承１７をセットし上部滑り支障４と下部滑り支障７を既存家屋の基礎２１と土台２２の隙間２５に、挿入して基礎２１及び土台２２や大引２３にボルト８ｃやラグスクリュー４ｃで固定して免震効果を発現させる本発明の免震装置用アダプター１を実施した工法の一例。（図１１〜図１６参照）
【実施例５】
【００６０】上部滑り支障４の下部面にエッジ４ｂを加工し，側面に土台または大引固定用ラグスクリュー用穴４ａをあけたネコ４ｄを設け下部滑り支障７の上面に、上部滑り支障エッジ４ｂと交差方向にエッジ７ａを加工し、側面に基礎固定用ボルト８ａあけた基礎固定ネコ８を設けた本発明の滑り支承型免震装置を既存家屋の基礎２１と土台２２及び大引２３の隙間２５に挿入して全床下の床束を撤去して大引２４の下部を集成材２３ａ等で補強して土台２２と大引２３の上面に構造用合板１４を貼り剛床にして免震効果を発現させる工法の一例。（図１７〜２０参照）
【実施例６】
【００６１】上部支承１６と下部支承１７の間に鋼球５ａをセットした既製転がり免震装置１５を本発明の免震装置用アダプター１に固定して基礎２１及び基盤２１ｂと土台２２及び大引２３に固定した本発明の免震装置用アダプター工法の一例（図１３）
【実施例７】
【００６２】上部支承１６と下部支承１７の間に滑り摺動材１５ｂをセットした既製滑り免震装置１５を免震装置用アダプター１に固定して基礎２１と土台２２及び大引２３に固定した本発明の免震装置用アダプター１工法の一例（図１４）
【実施例８】
【００６３】上部支承１６と下部支承１７の間に積層ゴム１５ｃをセットした既製滑り免震装置１５を免震装置用アダプター１に固定して基礎２１及び基盤２１ｂと土台２２及び大引２３に固定した本発明の免震装置用アダプター工法の一例（図１５）
【実施例９】
【００６４】既製転がり免震装置１５にサポート１１を固定し免震装置用アダプター１に溶接でセットして基礎２１と土台２２及び大引２３に固定した本発明の免震装置用アダプター１工法の一例（図１６）
【産業上の利用可能性】
【００６５】本発明の既製免震装置用アダプターは、大手住宅メーカーやゼネコン等で開発された転がり支承、滑り支承、積層ゴム支承等の既製免震装置を使用できるので、全国の非耐震既設木造家屋に供給でき、非耐震家屋を耐震補強する事なく耐震技術最先端の免震装置付住宅にできるし、施工費も安価で工期も短く、リホーム工事との相乗効果も期待でき、また今後建設される全ての非耐震家屋をマーケットに出来るので、住宅産業への経済効果が大きい。
【図面の簡単な説明】
【００６６】
【図１】実施例１の本発明の上部免震装置用アダプターの平面図
【図２】実施例１の本発明の上部免震装置用アダプターのＡ−Ａ側面図
【図３】実施例１の本発明の上部免震装置用アダプ７ターのＢ−Ｂ断面図
【図４】実施例１の本発明の上部免震装置用アダプターのＣ−Ｃ断面図
【図５】実施例１の本発明の上部免震装置用アダプターのＤ−Ｄ断面図
【図６】実施例２の本発明の下部免震装置用アプダプターの平面図
【図７】実施例２の本発明の下部免震装置用アダプターのＥ−Ｅ側面図
【図８】実施例２の本発明の下部免震装置用アダプターのＦ−Ｆ断面図
【図９】実施例２の本発明の下部免震装置用アダプターのＧ−Ｇ断面図
【図９ａ】実施例２の本発明の下部免震装置用アダブターのサポートの脚部平面図
【図１０】実施例３の本発明の免震装置用アダプターのＤ−Ｄ、Ｆ−Ｆ断面図
【図１１】実施例３の既存免震装置用アダプターに既製転がり免震装置をセットした断面図
【図１２】実施例３の既存免震装置用アダプターに既製転がり免震装置をセットした本発明の免震装置用アダプター工法地震時の断面図
【図１３】実施例３既存免震装置用アダプターに既製転がり免震装置をセットした本発明の免震装置アダプターを基礎及基盤と土台及び大引に固定した本発明の免震装置用アダブター工法の断面図
【図１４】実施例３既存免震装置用アダプターに既製滑り免震装置をセットした本発明の免震装置用アダプター工法の断面図
【図１５】実施例３既存免震装置用アダプターに既製積層ゴム免震装置をセットした本発明の既存免震装置用アダプター工法の断面図
【図１６】実施例３の既存免震装置用アダブターとサポートに既製転がり免震装置を溶接で固定した本発明の既存免震装置用アダプター工法の断面図
【図１７】実施例４の本発明の滑り支障型免震装置の上部支承の透視図
【図１８】実施例４の本発明の滑り支障型免震装置の下部支承の透視図
【図１９】実施例４の本発明の滑り支障型免震装置の上下セット時の透視図
【図２０】実施例４の本発明の滑り支障型免震装置の実施透視図
【図２１】既存家屋の基礎と柱脚部透視図
【符号の説明】
【００６７】  １  免震装置用アダプター
２  上部免震装置用アダプター
３  下部免震装置用アダプター
４  上部滑り支障、４ａ  穴、４ｂ  エッジ、４ｃ  ラグスクリュー、またはボルトナ      ット、４ｄ  ネコ
５  フレーム、５ａ  穴、５ｂ  ネコ、５ｃ  ボルト、またはラグスクリュー
６  免震装置固定用ネコ  ６ａ  穴、
７  下部滑り支障、７ａ  エッジ
８  基礎固定用ネコ、８ａ  穴、８ｃ  後施工アンカーボルト
９  免震装置固定用ネコ、９ａ  穴
１０  支柱
１１  サポート、１１ａ  穴、１１ｂ  ネジ
１２  免震装置固定用ネコ、１２ａ  穴
１３  ベースプレート、１３ａ  穴、１３ｃ  後施工アンカーボルト
１４  構造用合板、
１５  既製免震装置、１５ａ  鋼球、１５ｂ  滑り摺動材、１５ｃ  積層ゴム
１６  既製免震装置上部支承
１７  既製免震装置下部支承
２１  基礎、２１ａ  基礎ベース、２１ｂ  基盤、２１ｃ  ゴムパッキン、
２２  土台、
２３  大引、２３ａ  集成材
２４  柱
２５  隙間
凡例
ネコ：建築用語で直交部材等を接合する部品の総称
エッジの種類：１．山型  ２．角型  ３．食パン型等  がある
【図１】
2009281127.tif 000003
【図２】
2009281127.tif 000004
【図３】
2009281127.tif 000005
【図４】
2009281127.tif 000006
【図５】
2009281127.tif 000007
【図６】
2009281127.tif 000008
【図７】
2009281127.tif 000009
【図８】
2009281127.tif 000010
【図９】
2009281127.tif 000011
【図９ａ】
2009281127.tif 000012
【図１０】
2009281127.tif 000013
【図１１】
2009281127.tif 000014
【図１２】
2009281127.tif 000015
【図１３】
2009281127.tif 000016
【図１４】
2009281127.tif 000017
【図１５】
2009281127.tif 000018
【図１６】
2009281127.tif 000019
【図１７】
2009281127.tif 000020
【図１８】
2009281127.tif 000021
【図１９】
2009281127.tif 000022
【図２０】
2009281127.tif 000023
【図２１】
2009281127.tif 000024